(57)【要約】  【課題】  種々の平面視形状の机天板に対応して補助脚体６１及び補助連結体６４を介して強固に固定して剛性を高める。  【解決手段】  一対の主脚体３、３の間に配置された補助脚体６１の上端に、補助連結体６４の基部６４ａの上面からねじ止めする。補助連結体６４の基部６４ａから水平に延びる平面視円形のアーム部６４ｂには、ビーム部材２３の端部を連結するビームブラケット６７の水平方向の取付け角度を適宜間隔にて変更可能にする取付け部８３を備える。ビームブラケット６７と補助ブラケット７０とでビーム部材２３の端部を上下に挟んでボルト止めし、机天板の支持装置の剛性を強固にする。  【選択図】  図１５
2005087488.tif 000002
【特許請求の範囲】
【請求項１】
複数の主脚体と、該両主脚体の間に配置された補助脚体と、前記各主脚体のそれぞれの上端に固定した主連結体と、補助脚体の上端に固定した補助連結体とを介して机天板を支持する一方、前記主脚体と補助脚体との上部間を連結するビーム部材を備えてなる机天板の支持装置において、
前記補助連結体は、前記補助脚体の上端載置する基部と、該基部から水平方向に一体的に突出する平面視略円形状のアーム部とを有し、
前記アーム部には、前記ビーム部材の端部を連結するビームブラケットの水平方向の取付け角度を適宜間隔にて変更可能にする取付け部を備えたことを特徴とする机天板の支持装置。
【請求項２】
複数の補助脚体と、各補助脚体の上端に固定した補助連結体とを介して机天板を支持する一方、前記各補助脚体の上部間を連結するビーム部材を備えてなる机天板の支持装置において、
前記補助連結体は、前記補助脚体の上端載置する基部と、該基部から水平方向に一体的に突出する平面視略円形状のアーム部とを有し、
前記アーム部には、前記ビーム部材の端部を連結するビームブラケットの水平方向の取付け角度を適宜間隔にて変更可能にする取付け部を備えたことを特徴とする机天板の支持装置。
【請求項３】
前記アーム部における取付け部は、前記ビームブラケットとのボルト連結構造であることを特徴とする請求項１または２に記載の机天板の支持装置。
【請求項４】
前記アーム部における取付け部には、前記取付け角度の位置決め部と取付け角度の表示部とを備えたことを特徴とする請求項１乃至３のいずれかに記載の机天板の支持装置。
【請求項５】
前記ビーム部材の端部を、前記ビームブラケットと補助ブラケットとにより挟持固定したことを特徴とする請求項１乃至４のいずれかに記載の机天板の支持装置。
【発明の詳細な説明】
【技術分野】
【０００１】
本発明は、筆記又はコンピュータ操作等のような各種のデスクワークを行う事務等に使用される机天板の支持装置の構造に係り、より詳しくは、平面視矩形状や六角状などの特異形状の種々の平面視形状の机天板に簡単に適用できるようにした支持装置に関するものである。
【背景技術】
【０００２】
従来から、この種の机天板の支持装置として、例えば、特許文献１等に開示されているように、平面視枠状に組み立てたビーム部材で机天板を支持する一方、前記ビーム部材の連結角部からパイプ状の脚柱を垂設したものにおいて、各脚柱の上端部に水平回動可能に被嵌し、且つ前記一方のビーム部材の連結角部（端部）に接続する第１ジョイント体と、この第１ジョイント体の上にて前記脚柱の上端部の雄ねじ部に螺着し、且つ他方のビーム部材の連結角部（端部）に接続する第２ジョイント体とを備え、前記各ビーム部材における長手方向の溝には、机天板の下面にねじ止めする取付け金具の基部を移動可能に係合したものがあった。
【０００３】
また、特許文献２では、一対の垂直の脚支柱の各上端に水平に延びるアーム部を一体的に有し、この各アーム部の先端部同士を垂直方向のネジを介して連結角度可変に連結し、且つ各アーム部には机天板の下面にネジ止めする取付け孔が穿設されたものが開示されている。
【０００４】
上記両引用文献の構成により、平面視矩形状や六角状などの特異形状の種々の平面視形状の机天板を安定して支持することができるとしている。
【特許文献１】特公平７−１１１２０５号公報
【特許文献２】実開平６−７２４３１号公報
【発明の開示】
【発明が解決しようとする課題】
【０００５】
しかしながら、前記特許文献１に開示の支持装置では、２つのジョイント体を脚支柱の上端部に上下に重ねて配置するから、その高さ方向の寸法が大きくなり嵩張るという問題があり、また、上側の第２ジョイント体は脚支柱の上端部の雄ねじ部に螺着させるから、第２ジョイント体の水平方向の向きを基準にして前記第１ジョイント体の水平方向の向き、換言すれば２つのジョイント体の水平方向の夾角を調整するには、脚支柱の向きを変える必要があり、それによって脚支柱の外観の向きが変化しないようにするには、当該脚支柱が円柱または円筒状に限られ、脚装置の意匠的変化（多様性）が乏しくなるという問題もあった。
【０００６】
他方、前記引用文献２の構成では、垂直の脚支柱の各上端に水平に延びるアーム部を一体的に備えているため、部品としても嵩張り、また、机天板の平面視の面積が異なる毎に前記アーム部の長さの異なるものを準備しなければならず、机天板の支持装置として部品の共通化ができないという大きな問題があった。
【０００７】
本発明は、これらの問題を解消することを技術的課題とするものである。
【課題を解決するための手段】
【０００８】
この技術的課題を達成するため、請求項１に記載の発明の机天板の支持装置は、複数の主脚体と、該両主脚体の間に配置された補助脚体と、前記各主脚体のそれぞれの上端に固定した主連結体と、補助脚体の上端に固定した補助連結体とを介して机天板を支持する一方、前記主脚体と補助脚体との上部間を連結するビーム部材を備えてなる机天板の支持装置において、前記補助連結体は、前記補助脚体の上端載置する基部と、該基部から水平方向に一体的に突出する平面視略円形状のアーム部とを有し、前記アーム部には、前記ビーム部材の端部を連結するビームブラケットの水平方向の取付け角度を適宜間隔にて変更可能にする取付け部を備えたものである。
【０００９】
また、請求項２に記載の発明の机天板の支持装置は、複数の補助脚体と、各補助脚体の上端に固定した補助連結体とを介して机天板を支持する一方、前記各補助脚体の上部間を連結するビーム部材を備えてなる机天板の支持装置において、前記補助連結体は、前記補助脚体の上端載置する基部と、該基部から水平方向に一体的に突出する平面視略円形状のアーム部とを有し、前記アーム部には、前記ビーム部材の端部を連結するビームブラケットの水平方向の取付け角度を適宜間隔にて変更可能にする取付け部を備えたものである。
【００１０】
請求項３に記載の発明は、請求項１または２に記載の机天板の支持装置において、前記アーム部における取付け部は、前記ビームブラケットとのボルト連結構造としたものである。
【００１１】
請求項４に記載の発明は、請求項１乃至３のいずれかに記載の机天板の支持装置において、前記アーム部における取付け部には、前記取付け角度の位置決め部と取付け角度の表示部とを備えたものである。
【００１２】
請求項５に記載の発明は、請求項１乃至４のいずれかに記載の机天板の支持装置において、前記ビーム部材の端部を、前記ビームブラケットと補助ブラケットとにより挟持固定したものである。
【発明の効果】
【００１３】
以上のように、請求項１及び２の発明によれば、補助連結体の基部から水平方向に延びる平面視略円形のアーム部には、ビームブラケットの水平方向の取付け角度を適宜間隔にて変更できるように取付け部を備えたから、共通の部品を利用して、種々の平面視形状の机天板を、ビーム部材を介して強固に支持することができるという効果を奏する。
【００１４】
そして、前記各補助脚体の上端面に対して補助連結体をその上面からボルトにて固定し、且つ前記補助連結体の基部と机天板の下面とをボルトにて固定することにより、補助脚体における上端に対して連結手段である補助連結体をその上方向からの垂直方向のボルトにて直接締結固定することになるので、机天板に水平荷重等の側方荷重が作用したとき、机天板の下面が開くように補助脚体の上端が撓むことがなく、その側方強度に対する抵抗力（机天板と脚体との固定強度）が強くなり、机全体の剛性が高まる。また、補助脚体の側面に補助連結体との取付けねじの頭が露出しないから、机の意匠の美観が向上するという効果を奏する。
【００１５】
請求項３に記載の発明によれば、前記アーム部における取付け部は、前記ビームブラケットとのボルト連結構造としたから、ビームブラケットの取付け取り外し作業が簡単にできるという効果を奏する。
【００１６】
請求項４に記載の発明によれば、前記アーム部における取付け部には、前記取付け角度の位置決め部と取付け角度の表示部とを備えたものであるから、ビームブラケットの取付け角度を誤りなく、且つ迅速に実行できる。
【００１７】
請求項５に記載の発明によれば、ビーム部材の端部を前記ビームブラケットと補助ブラケットとより上下に挟持して固定するから、強固に固定できるという効果を奏する。
【発明を実施するための最良の形態】
【００１８】
以下、本発明を実施するための最良の形態を、図面を参照しながら説明する。
【００１９】
図１〜図２０は第１実施例を示し、図１（ａ）は第１実施例の机１の全体平面図、図１（ｂ）は正面図、図１（ｃ）は側面図である。図２は図１（ａ）のII−II線矢視の一部切欠き要部拡大正面図、図３は図１（ａ）の線矢視の一部切欠き要部拡大側断面図、図４は机天板２と主脚体３との連結手段Ａの各部品の斜視図、図１５〜図２０は机天板２と補助脚体６１との連結手段Ｂを示す図である。
【００２０】
第１実施例における机１は、平面視略Ｌ形状で木製の机天板２の互いに９０度異なる側辺部の下面に配置する側面視で「ロ」字状の一対の主脚体３、３と、該一対の主脚体３、３の間にあって、机天板の平面視で９０度の奥隅位置に配置する補助脚体６１とに支持される。
【００２１】
主脚体３は、同じ中空断面形状の一対の縦部材（支柱部材）３ａ，３ａと、別の同じ中空断面形状の上端及び下端の水平部材３ｂ，３ｂと、これら縦部材３ａと水平部材３ｂとのコーナ部を繋ぐ継手部材４とを有し、縦部材３ａ及び水平部材３ｂはアルミ押出材であり、図３及び図１１に示す継手部材４はアルミ製ダイキャストである。
【００２２】
各主脚体３と机天板２とを連結するための連結手段Ａは、所定高さＨ１の連結体５と、所定高さＨ２の台座体６と、机天板２の下面に固定する固定用ブロック体７と、一対のサポートピン９，９と複数のボルト等から構成されている。アルミダイキャスト製の台座体６は、図３及び図５に示すように、平面視略四角状の偏平状であって、台座体６の中央部には前記主脚体３における上端水平部材３ｂ等に螺着する皿ネジ（皿ビス）１０のための座ぐり孔６ｂが形成されており、その四方外周には、後述する連結体５を上方から止着（固定）するための六角穴付きボルト１１の挿通孔６ｂが穿設され、台座体６の上面には、前記各挿通孔６ｂの外周ボス部６ｄが上向きに突出するように形成され、さらに、台座体６の下面には、一対の位置決めダボ６ｃが一体的に突設形成されている。
【００２３】
アルミダイキャスト製の固定用ブロック体７は、図２、図３、図４及び図６に示すように、平面視略矩形状の本体７ａとその上端に一体的に連設された取付け板部７ｂとからなる。取付け板部７ｂの上面には、机天板２の下面に形成された位置決め凹所１２に嵌入できる一対の位置決め用ボス７ｃが形成されている。
【００２４】
前記本体７ａには、その下部側に下向きに開放された大径孔１３ａが穿設されており、この大径孔１３ａの上端に連通して小径のボルト取付け孔１３ｂが上面にまで貫通形成されている。前記大径孔１３ａから上向きに挿入した固定用ボルト２０の雄ねじ部はボルト取付け孔１３ｂを貫通して上向きに突出し、机天板２の下面に予め埋め込まれた筒ネジ（鬼目ナット）３５に螺着する。また、本体７ａの外側の一対の対向する縦側面には後述する一対のサポートピン９、９の截頭円錐状の各頭部９ａが当接し得る截頭円錐状の当接部１４、１４が前記大径１３ａに連通するように凹み形成されている。
【００２５】
アルミダイキャスト製の連結体５は、図２〜図４、図７及び図８に示すように、基部５ａと、該基部５ａから上面が水平に延びるアーム部５ｂとからなる。前記基部５ａの上面には、前記固定用ブロック体７の取付け板部７ｂが嵌まる凹所１５と、これに連通し、前記本体７ａが嵌入可能な四角状の取付け凹所１６とが形成されており、さらに、前記一対のサポートピン９、９がそれぞれ水平方向に嵌入可能な横孔１７、１７が前記取付け凹所１６に連通するように穿設形成されている。なお、前記取付け凹所１６は基部５ａを上下に貫通するように形成されていても良い。また、各横孔１７の外周には、前記各サポートピン９の横向き円柱状の胴部９ｂの外周にて軸線方向に延びるように形成された突条９ｃが嵌まるような回止め溝１８が複数箇所に形成されている。なお、前記一方のサポートピン９の円柱状の胴部９ｂの中心線に沿った貫通孔９ｃに締着ボルト（六角穴付きボルト）８の軸部及び頭部を回動自在に支持させる。他方のサポートピン９の円柱状の胴部９ｂ及び截頭円錐状の頭部９ａの中心線に沿って前記締着ボルト８の雄ねじ部に螺合する雌ねじ部が形成されている（図３参照）。
【００２６】
前記凹所１５の底面から各横孔１７の軸線１７ａまでの高さ方向の寸法Ｈ３は、前記固定用ブロック体７の取付け板部７ｂ下面から当接部１４の軸線１４ａまでの高さ方向の寸法Ｈ４よりも若干大きく設定されている（図６（ｂ）、図６（ｃ）、図８（ａ）及び図８（ｂ）参照）。
【００２７】
また、前記基部５ａには、前記凹所１５よりも外周寄り部位に上下に貫通する４個のボルト孔１９が前記取付け凹所１６の縦方向中心軸線１６ａを点対称とするように形成されている（図７（ａ）及び図８（ｃ）参照）。
【００２８】
前記連結体５におけるアーム部５ｂの上面は基部５ａの上面と同一平面上にあり、またアーム部５ｂの下面は前記基部５ａに近い側の上下寸法が大きく、先端（自由端）に行くに従って上下高さ寸法が小さくなるように正面視で略三角形状に形成されている（図２、図７及び図８（ａ）参照）。そして、アーム部５ｂの先端寄り部位には、机天板２の下面に固定するボルト２１の軸部が挿通できる軸孔２２が上下に貫通するように穿設されている（図７（ａ）及び図８（ａ）参照）。後述するビーム部材２３を使用しないとき（図１２参照）、机天板２の下面と主脚体３の内側とで囲まれる下肢領域空間をより広くするため前述のように、アーム部５ｂの先端寄り部位の高さ寸法が小さく形成されている。
【００２９】
なお、図１（ａ）に示す実施例では、前記机天板２の奥側において、各主脚体３と補助脚体６１との間をビーム部材２３にて連結するため、ビーム部材２３の長手方向の一端部を前記各連結体５のアーム部５ｂとその下方に配置する補助アーム体２４とで挟持固定する。その場合、図１１に示すように、アルミ押出材であるビーム部材２３の断面は、上下方向に複数の突条部分２３ａ〜２３ｂを有し、且つ複数の断面中空部２３ｃ〜２３ｄが形成された長手方向軸線回りで点対称形状をなす。このビーム部材２３の端部を前記アーム部５ｂと補助アーム体２４とできっちりと挟持するために、前記アーム部５ｂの下面及び補助アーム体２４の上面に前記突条部分２３ａ〜２３ｂの外周に対応する嵌合溝２５、２６が形成されている。また、前記アーム部５ｂと補助アーム体２４とを挟持固定するためのボルト２７の軸部が上下に挿通する軸孔２８がアーム部５ｂ及び補助アーム体２４の幅方向の両側に穿設されており、且つ補助アーム体２４の下部側に雌ねじ部２９が形成されている（図１１参照）。なお、アーム部５ｂの幅方向の下面及び補助アーム体２４の幅方向の上面に突出形成されているボス部３０、３１は、前記ビーム部材２３の端部に穿設された位置決め用の孔に嵌合して位置決めするためのものである。補助アーム体２４側から前記アーム部５ｂを介して机天板２の下面側に埋め込まれた鬼目ナット３６に締着固定する場合のボルト２１の長さは前記アーム部５ｂだけの場合よりも長い（図２及び図１４参照）。
【００３０】
前記一対の縦部材３ａと上下水平部材３ｂとのコーナ部を継手部材４でつなぎ、主脚体３を正面視でロの字状に形成する。前記各縦部材３ａは略矩形状の中空筒部４０を有し、その外周部材４１の寸法Ｗ１は、内周部材４２の幅寸法Ｗ２より若干大きいように形成されている。前記中空部４０の内部には、雄ねじ５１、５２が螺着できるΩ部４０ａ，４０ｂが一体的に形成されている。また、前記各水平部材３ｂは略Ｔ字状の中空筒部４３を有し、その外周部材４４の寸法Ｗ１は、内周部材４５の幅寸法Ｗ２より若干大きいように形成されている（図１２（ａ）及び図１２（ｂ）参照）。
【００３１】
図３及び図１３に示すように、アルミダイキャスト製の継手部材４は、縦部材３ａの上下端部から前記中空筒部４０内に嵌まる縦アーム４６と、水平部材３ｂの前後端から前記中空筒部４３内に嵌まる横アーム４７と、縦アーム４６と横アーム４７との間に４５度の角度で主脚体３の表裏面に突出する鍔片４８とが一体的に形成されているものである。主脚体３の組立に際しては、縦アーム４６を中空筒部４０内に嵌入し、雄ねじ５１、５２を前記Ω部４０ａ，４０ｂに螺着し、次いで、各横アーム４７を上下水平部材３ｂの略Ｔ字状の中空筒部４３に嵌入し、雄ねじ（皿ネジ、皿ビス）５３、５４を下水平部材３ｂの下面、上端水平部材３ｂの下面から螺着して、それぞれ固定するのである。なお、図１３に示すように、アジャスタボルト５５は下水平部材３ｂの下面側から横アーム４７に螺着する。
【００３２】
上記の構成において、前記予め組立られたロ字状の主脚体３に対して机天板２を固定するには、固定用ブロック体７の下面側から大径孔１３ａ及びボルト取付け孔１３ｂを介して固定用ボルト２０を嵌挿し、机天板２の下面の所定位置の鬼目ナット３５の箇所に所定の向きで締着固定する。所定の向きとは、固定用ブロック体７における対向する一対の截頭円錐状の当接部１４、１４の軸線と連結体５の基部５ａにおける一対の横孔１７の軸線とが平行状になる向きである。そのために、机天板２の下面の所定位置には、固定用ブロック体７における取付け板７ｂの上面の２つの位置決め用ボス７ｃが嵌まる位置決め凹所１２が凹み形成されている。
【００３３】
次に、図１３のように、上端水平部材３ｂの上面の所定位置に台座体６のダボ６ｃを嵌合させ、台座体６の上面から皿ネジ（皿ビス）１０にて前記上端水平部材３ｂ及び継手部材４に取付け固定する。次いで、連結体５におけるアーム部５ｂが前記上端水平部材３ｂの上面の幅方向に向かうようにして、基部５ａの下面の凹所を前記台座体６の上面の４つの位置決め用ボス７ｃに嵌め入れる。その状態で、前記基部５ａの上面から複数本（実施例では４本）のボルト１１をボルト孔１９に挿通して、台座体6 及び前記上端水平部材３ｂの上面側を貫通して継手部材４の横アーム４７の雌ねじ部に螺着固定する（図２、図３及び図４参照）。
【００３４】
次いで、机天板２の下面の固定用ブロック体７における矩形状の本体７ａを前記基部５ａにおける取付け凹所１６に上方から嵌入する。その後、基部５ａの一対の縦側面における横孔１７、１７にサポートピン９、９を頭部９ａから嵌め入れ、ついで一方のサポートピン９の外から横方向に締着ボルト８を差込み、他方のサポートピン９の雌ねじ部に螺合し、締着する（図３参照）。
【００３５】
この場合、前述したように、横孔１７の外周には、前記各サポートピン９の横向き円柱状の胴部９ｂの外周にて軸線方向に延びるように形成された突条９ｃが嵌まるような回止め溝１８が複数箇所に形成されているから、締着ボルト８の観点に拘らず、一対のサポートピン９、９は回転することなく、両者間の距離が縮まり、各サポートピン９の截頭円錐状の頭部９ａが前記基部５ａにおける横孔１７の截頭円錐状の当接部１４に当接する。そのとき、前記凹所１５の底面から各横孔１７の軸線１７ａまでの高さ方向の寸法Ｈ３（図８（ａ）及び図８（ｂ）参照）が、前記固定用ブロック体７の取付け板部７ｂ下面から当接部１４の軸線１４ａまでの高さ方向の寸法Ｈ４（図６（ｂ）及び図８（ｃ）参照）よりも若干大きく設定されているので、一対のサポートピン９、９の頭部９ａ、９ａの距離が縮まるにつれて、前記固定用ブロック体７の本体７ａを基部５ａの下方に引き込む。従って、机天板２の下面が連結体５の基部５ａの上面に強く圧接されるようになり、机天板２は連結体５に対して強固に固定できるのである。
【００３６】
ビーム部材２３をアーム部５ｂに固定するには、前記固定用ブロック体７の本体７ａを基部５ａに嵌め入れるに先立ち、前記アーム部５ｂの下面の嵌合溝２５と補助アーム体２４の上面の嵌合溝２６との間にビーム部材２３の端部を嵌め入れ、前記アーム部５ｂの上面から２つの軸孔２８にボルト２７を挿入し、補助アーム体２４における雌ねじ部２９に締着（締結）するのである。
【００３７】
また、ビーム部材２３を連結した場合には、図２に示すように、補助アーム体２４の下面側からアーム部２５を貫通させて机天板２の下面の鬼目ナット３６にボルト２１を締着（締結）する。他方、ビーム部材２３を連結しない場合には、図１２に示すように、アーム部２５の下面側から貫通させて机天板２の下面の鬼目ナット３６にボルト２１を締着（締結）するのである。
【００３８】
図１５〜図２０に示すのは、補助脚体６１と机天板２との連結手段Ｂであって、断面略Ｈ字状の中空部補助脚体６１の中空部６１ｂ内に沿って延びる筒状支持リブ部６１ａの上端に対して、アルミダイカストにて構成された補助連結体６４の基部６４ａの平面視中心位置でその上面に開放された凹所８０の孔８０ａからボルト６５にて締結するように構成されている。なお、アルミ押出材からなる補助脚体６１の向きを規定するために、補助連結体６４の基部６４ａの下面に突出した位置決め突起８８が、前記補助脚体６１の上端の中空部６１ｂや筒状支持リブ部６１ａの周囲に嵌り込む（図１６、図１７（ａ）及び図１７（ｂ）参照）。
【００３９】
一方、前記基部６４ａから水平に一体的に延びる平面視略円形状のアーム部６４ｂの中心部には、下面に開放された凹所８１が形成され、その上端の孔８１ａに対してその下面側から別のボルト６６にて机天板２の下面に埋め込まれた鬼目ナット６８に締結するように構成されている。
【００４０】
そして、前記アーム部６４ｂの円周縁８２に沿ってビームブラケット６７の水平方向の取付け角度を適宜角度の間隔にて可変にできるようにするためのボルト連結構造からなる取付け部８３が形成されている。この取付け部８３は、複数対のボルト孔８３ａ〜８３ｄと、位置決め部としてのダボ孔８４とからなる。各ボルト孔８３ａ〜８３ｄに対応させて複数（通常２つ）のビームブラケット６７の基部６７ａに穿設された取付け孔８６を介してそれぞれ六角孔付き取付けボルト６９にて締結固定するものである。その場合、図１６に示すように、ビームブラケット６７の基部６７ａは前記アーム部６４ｂの円周部の下面側から取付けする。なお、ビームブラケット６７の基部６７ａの上面には、前記一対のダボ孔８４，８４にきっちりと嵌まる丸軸状の突起８７が突設されている（図１８（ａ）及び図１８（ｂ）参照）。図１８に示すビームブラケット６７は右用であって、左用のものは、左右対称形状に形成される。図１９に示す補助ブラケット７０は左右兼用である。
【００４１】
また、前記取付け部８３には、取付け角度の表示部８５を備える。より詳しくは、図１７（ａ）〜図１７（ｃ）に示すように、図１７（ａ）（平面視）において、前記基部６４ａの孔８０ａとアーム部６４ｂの孔８１ａとを結ぶ線上と、その直角方向の位置における３つのボルト孔８３ｄは、左右２つのビームブラケット６７を前記平面視において互いに９０度方向に延びるように配置して前記取付けボルト６９にて締結するか、もしくは２つのビームブラケット６７を前記平面視において、前記孔８０ａと孔８１ａとを結ぶ線及び、それに対して直角方向に延びる方向と配置して前記取付けボルト６９にて締結するためのもので、表示部８５には「ＳＯ」と刻印されている。前記孔８０ａと孔８１ａとを結ぶ線に沿って１つのビームブラケット６７を配置し、左右に隣接する２つの机天板の側縁を背中合わせ状にて支持するようにしても良い。
【００４２】
「９」の表示部８５に対応するボルト孔８３ａとビームブラケット６７の基部６７ａの取付け孔８６とを合わせたときには、図１５に示すように、前記孔８０ａと孔８１ａとを結ぶ線に対して互いに４５度の方向に２つのビームブラケット６７は延び、平面視で２つのビームブラケット６７の夾角は９０度になっている。
【００４３】
表示部８５が「２」の箇所に対応させると、前記孔８０ａと孔８１ａとを結ぶ線に対して互いに６０度の方向に２つのビームブラケット６７は延び、平面視で２つのビームブラケット６７の夾角は１２０度となる（図２２参照）。同様に、表示部８５が「３」の箇所に対応させると、前記孔８０ａと孔８１ａとを結ぶ線に対して互いに６７．５度の方向に２つのビームブラケット６７は延び、平面視で２つのビームブラケット６７の夾角は１３５度となる。これらの位置で、対応する位置の一対のダボ孔８４，８４に対してビームブラケット６７の基部６７ａの突起８７が嵌合することになる。
【００４４】
そして、前記ビームブラケット６７の上面とその上方から挟持する補助ブラケット７０の下面とには、前記ビーム部材２３における上下方向に複数の突条部分２３ａ〜２３ｂの外周に嵌まる嵌合溝が形成されているので、前記補助ブラケット７０の下面の嵌合溝とビームブラケット６７の上面の嵌合溝との間にビーム部材２３の端部を嵌め入れ、前記補助ブラケット７０の上面から３つの軸孔７１にボルト７２を挿入し、ビームブラケット６７における雌ねじ部７３に締着（締結）するのである（図１６、図２０（ａ）及び図２０（ｂ）参照）。この状態で、ビームブラケット６７の下方から挿通する取付けボルト７４を机天板６０の下面に埋め込んだ鬼目ナット７５に締結するのである（図１６参照）。
【００４５】
以上のように構成すると、平面視での机天板２の形状が種々の多角形のものに対して、共通の部品である、補助連結体６４、ビームブラケット６７、補助ブラケット７０、及び取付けボルト６５、６６、６９等を利用できるから、部品管理も簡単となるとともに、製造コストも低減できる。
【００４６】
机天板２、６０の主脚体３及び補助脚体６２に対する支持間隔（スパン）が長い場合には、スペーサ７７における係合爪７７ａ，７７ａを、ビーム部材２３の長手方向の中途部上面側の幅方向内側の一対の突条部分２３ｂ，２３ｂの間の溝に係合させ、スペーサ７７の上面にて、机天板２の中途部を支持して撓むのを防止している（図２１参照）。
【００４７】
図２３、図２４は第２実施例を示し、平面視略Ｌ字状の机天板６０の下面両端部を、正面視で横向き略Ｈ字状の一対の主脚体６２、６２で支持すると共に、前記実施例と同じ構成の補助脚体６１にて、机天板６０の奥側コーナ部の下面を支持する。その場合、主脚体６２は支柱部材（縦部材）６２ａとその上下端に連結されている上下端の水平部材６２ｂ，６２ｃとからなり、支柱部材（縦部材）６２ａ及び補助脚体６１はアルミ押出材にて構成され、上下の水平部材６２ｂはアルミダイカストにて構成されている。支柱部材６２ａの上下端に、前記上下端の水平部材６２ｂ，６２ｃを重ねて、複数本の六角孔付き連結ボルトを水平部材６２ｂ，６２ｃの厚さ方向に貫通させ、支柱部材６２ａの上下端部分に締着させる。前記一対の主脚体６２における上端水平部材６２ｂの上面両端部には、前記第１実施例と同様の構成の連結手段Ａ、即ち、台座体６を位置決めして皿ネジ１０にて締結固定し、その上に連結体５の基部５ａの上面から水平部材６２ｂの上面にねじ止めし、さらに、机天板２の下面に突設した前記固定用ブロック体７を前記基部５ａの上面開放状の取付け凹所１６に嵌入し、一対のサポートピン９、９及び締着ボルト８を介して横孔１７に横方向から締着（締結）固定するものである。
【００４８】
補助連結体６４及びビームブラケット６７等の構成は前記実施例と同じであり、補助脚体６１の上端との連結ビームブラケット６７の取付け角度の変更調節なども同じであるのて詳細な説明は省略する。
【００４９】
上記の２つの実施例のような構成にすれば、主脚体３（６２）における上端水平部材３ａ（６２ｂ）の上端水平面に対する主連結体５、及び補助脚体６１の上端面に対する補助連結体６４をそれぞれその上方向からの垂直方向のボルトにて直接締結固定するので、机天板２に水平荷重等の側方荷重が作用したとき、机天板２の下面が開くように主脚体３（６２）、補助脚体６１の上端が撓むことがなく、その側方強度に対する抵抗力（机天板２と主脚体３（６２）並びに補助脚体６１との固定強度）が強くなり、机全体の剛性が高まる。また、主脚体３（６２）並びに補助脚体６１の側面に主連結体５や補助連結体６４との取付けねじの頭が露出しないから、机の意匠の美観が向上するという効果を奏する。
【００５０】
本発明は、種々の平面視形状の机天板２を前記複数の補助脚体６１とその各上端の補助連結体６４とにより支持するように構成しても良い。
【図面の簡単な説明】
【００５１】
【図１】（ａ）は本発明の実施の形態による事務用机の平面図、（ｂ）は右側面図である。
【図２】図１のII−II線矢視一部切欠き拡大正面図である。
【図３】図２の III−III 線矢視一部切欠き拡大断面図である。
【図４】連結手段Ａの各部品の斜視図である。
【図５】（ａ）は台座体の下面図、（ｂ）はVb−Vb線矢視断面図である。
【図６】（ａ）は固定用ブロック体の平面図、（ｂ）は図６（ａ）のVIb −VIb 線一部切欠き側面図、（ｃ）は正面図である。
【図７】（ａ）は主連結体の平面図、（ｂ）は図７（ａ）の左側面図、（ｃ）は図７（ａ）のVIIc−VIIc線断面図、（ｄ）は図７（ａ）のVIId−VIId線断面図である。
【図８】（ａ）は図７（ａ）の VIIIa−VIIIa 線断面図、（ｂ）は図７（ａ）のVIIIb −VIIIb 線断面図、（ｃ）は図７（ａ）のVIIIc −VIIc線断面図である。
【図９】（ａ）は補助アーム体の平面図、（ｂ）は正面図、（ｃ）は下面図である。
【図１０】（ａ）は図９（ａ）のXa-Xa 線矢視断面図、（ｂ）は図９（ａ）のXb-Xb 線矢視一部切欠き側面図である。
【図１１】図４のXI−XI視拡大断面図である。
【図１２】（ａ）は縦部材の断面図、（ｂ）は水平部材の断面図である。
【図１３】主脚体のコーナ部の一部切欠き拡大断面図である。
【図１４】ビーム部材を連結しない実施例の一部切欠き正面図である。
【図１５】本発明の補助脚体及び補助連結体の取付け状態を示す平面図である。
【図１６】図１５のXVI-XVI 線矢視拡大断面図である。
【図１７】（ａ）は補助連結体の平面図、（ｂ）は図１７（ａ）のXVIIb-XVIIb 線矢視断面図、（ｃ）は図１７（ａ）のXVIIc-XVIIc 線矢視断面図である。
【図１８】（ａ）はビームブラケットの正面図、（ｂ）は上面図である。
【図１９】（ａ）は補助ブラケットの上面図、（ｂ）は正面図である。
【図２０】（ａ）は図１５のXXa-XXa 線矢視拡大断面図、（ｂ）は図１５のXXb-XXb 線矢視拡大断面図である。
【図２１】ビーム部材上のスペーサの断面図である。
【図２２】一対のビームブラケットを平面視１２０度の夾角で取付けた状態の平面図である。
【図２３】補助脚体と横向き略Ｈ型の主脚体とで机天板を支持した実施例の平面図である。
【図２４】（ａ）は図２３の正面図、（ｂ）は右側面図である。
【符号の説明】
【００５２】
１    机  
２    机天板
３    主脚体
４    継手部材
５    主連結体
５ａ    基部
５ｂ    アーム部
６    台座体
７    固定用ブロック体
８    締着ボルト
９、９  一対のサポートピン
２３    ビーム部材
２４    補助アーム体
６１    補助脚体
６１ａ    筒状支持リブ部
６１ｂ    中空部
６４    補助連結体
６４ａ    基部
６４ｂ    アーム部
６５、６６、６９、７２    ボルト
６７    ビームブラケット
７０    補助ブラケット
８０、８１      凹所
８２    円周縁
８３    取付け部
８４    ダボ孔
８５    表示部
８６    取付孔
８７    突起
【図１】
2005087488.tif 000003
【図２】
2005087488.tif 000004
【図３】
2005087488.tif 000005
【図４】
2005087488.tif 000006
【図５】
2005087488.tif 000007
【図６】
2005087488.tif 000008
【図７】
2005087488.tif 000009
【図８】
2005087488.tif 000010
【図９】
2005087488.tif 000011
【図１０】
2005087488.tif 000012
【図１１】
2005087488.tif 000013
【図１２】
2005087488.tif 000014
【図１３】
2005087488.tif 000015
【図１４】
2005087488.tif 000016
【図１５】
2005087488.tif 000017
【図１６】
2005087488.tif 000018
【図１７】
2005087488.tif 000019
【図１８】
2005087488.tif 000020
【図１９】
2005087488.tif 000021
【図２０】
2005087488.tif 000022
【図２１】
2005087488.tif 000023
【図２２】
2005087488.tif 000024
【図２３】
2005087488.tif 000025
【図２４】
2005087488.tif 000026